(57)【要約】【課題】従来と比較して捕獲対象動物が警戒心を抱きにくい動物捕獲用罠を提供することを目的とする。【解決手段】本発明に係る動物捕獲用罠８０は、地表面に近い位置に保持された捕獲部４０を上昇させることで、捕獲対象動物Ａの捕獲を行う。従って、側面、天井部、が開放されており、また、捕獲対象動物Ａはどの方向からでも捕獲部４０上に侵入することができる。このため、捕獲対象動物Ａはあまり警戒心を抱かずに捕獲部４０上に侵入する。これにより、従来の箱型罠に比較して捕獲対象動物Ａの捕獲率を向上させることができる。【選択図】図１
2011250718.tif 000002
【特許請求の範囲】
【請求項１】
複数の縦フレーム部と、
当該縦フレーム部間に設置される横フレームと、
前記縦フレーム部に設置される弾性部材と、
当該弾性部材により上下動するとともに、捕獲対象動物の脚が通り且つ胴体が通らない目開き寸法の網状もしくは格子状の捕獲部と、
当該捕獲部を地表面に近い待機位置に保持する保持手段と、
捕獲対象動物が捕獲部上にいることを検知して前記保持手段を解除する検知手段と、を有し、
前記保持手段が解除され捕獲部が上昇し捕獲対象動物の脚が捕獲部に落ち込むことにより捕獲対象動物を捕獲することを特徴とする動物捕獲用罠。
【請求項２】
捕獲部の上昇を許容するとともに下降を規制するストッパ部材を縦フレーム部の上下方向に複数連続して設けたことを特徴とする請求項１記載の動物捕獲用罠。
【発明の詳細な説明】
【技術分野】
【０００１】
本発明は、捕獲対象動物が警戒心を抱きにくい動物捕獲用罠に関するものである。
【背景技術】
【０００２】
近年、山間部近郊においてイノシシや鹿等の野生動物による農業被害が深刻化している。このため、これら害獣駆除のため捕獲対象動物の捕獲が動物捕獲用罠を用いて行われている。ただし、動物捕獲用罠のうちトラバサミ式罠の使用は安全性の面から禁止されており、よって下記［特許文献１］に開示された発明のような箱型罠が一般的に使用される。
【先行技術文献】
【特許文献】
【０００３】
【特許文献１】特開２００６−００００７８号公報
【発明の概要】
【発明が解決しようとする課題】
【０００４】
ただし、［特許文献１］に示されるような箱型罠では、捕獲対象動物が柵状の側面、天井部、落とし扉等で囲われた檻の内部に入らないと捕獲することができない。しかしながら、捕獲対象動物が警戒心からこのような閉塞した箱型罠の内部に入ることを躊躇することは容易に想像できる。さらに、捕獲対象動物の学習もあり、箱型罠による捕獲率は年々減少傾向にある。
【０００５】
本発明は上記事情に鑑みてなされたものであり、従来と比較して捕獲対象動物が警戒心を抱きにくい動物捕獲用罠を提供することを目的とする。
【課題を解決するための手段】
【０００６】
本発明は、
（１）複数の縦フレーム部２０と、当該縦フレーム部２０間に設置される横フレーム１２、１４と、
前記縦フレーム部２０に設置される弾性部材３０と、
当該弾性部材３０により上下動するとともに、捕獲対象動物Ａの脚が通り且つ胴体が通らない目開き寸法の網状もしくは格子状の捕獲部４０と、
当該捕獲部４０を地表面に近い待機位置に保持する保持手段５０と、
捕獲対象動物Ａが捕獲部４０上にいることを検知して前記保持手段５０を解除する検知手段６０と、を有し、
前記保持手段５０が解除され捕獲部４０が上昇し捕獲対象動物Ａの脚が捕獲部４０に落ち込むことにより捕獲対象動物Ａを捕獲することを特徴とする動物捕獲用罠８０を提供することにより、上記課題を解決する。
（２）捕獲部４０の上昇を許容するとともに下降を規制するストッパ部材７０を縦フレーム部２０の上下方向に複数連続して設けたことを特徴とする上記（１）記載の動物捕獲用罠８０を提供することにより、上記課題を解決する。
【発明の効果】
【０００７】
本発明の動物捕獲用罠は、４方向の側面及び天井部が開放し、かつ、どの方向からも侵入が可能のため捕獲対象動物が警戒心を抱きにくい。これにより、捕獲対象動物の捕獲率を向上させることができる。
【図面の簡単な説明】
【０００８】
【図１】本発明に係る動物捕獲用罠を示す図である。
【図２】本発明に係る縦フレーム部を示す断面図である。
【図３】本発明に係る捕獲部の例を示す図である。
【図４】本発明に係る動物捕獲用罠の動作を説明する図である。
【図５】本発明に係るストッパ部材を説明する図である。
【図６】本発明に係る保持手段及び検知手段の例を示す図である。
【発明を実施するための形態】
【０００９】
本発明に係る動物捕獲用罠の実施の形態について図面に基づいて説明する。図１（ａ）、図１（ｂ）は本発明に係る１実施の形態の動物捕獲用罠８０の側面図及び上面図である。本発明に係る動物捕獲用罠８０は、四隅に配置された４本の縦フレーム部２０と、この縦フレーム部２０の間に設置される上側横フレーム１２と、下側横フレーム１４と、を有している。そして、この縦フレーム部２０、上側横フレーム１２、下側横フレーム１４により形成されるフレーム部は、全ての側面と天井部とが開放した枠体となる。尚、動物捕獲用罠８０のフレーム部は、図１（ｂ）に示されるように上面視で正方形が好ましいが、これに限定されるものではなく長方形としても良い。尚、フレーム部の概略寸法は高さが約１．３ｍ、縦横寸法が約２ｍである。また、動物捕獲用罠８０は、基本的に現地で組み立てて使用する。よって、縦フレーム部２０、上側横フレーム１２、下側横フレーム１４、及びその他の部材は分解と組み立てが可能である。
【００１０】
ここで、縦フレーム部２０の構成を図２の断面図を用いて更に詳しく説明する。縦フレーム部２０を構成するフレーム体２２は内部が中空の例えば角パイプであり、その内部には長手方向に沿ってボールネジ２４が設置されている。また、フレーム体２２の上面には、ボールネジ２４に固定されたナット等の回転手段２６が設置されている。さらに、縦フレーム部２０はフレーム体２２に沿って上下動可能な上部支持体２８を備えている。尚、上部支持体２８はボールネジ２４と螺合しており、回転手段２６を回転させることでボールネジ２４が回転し、それに伴って上部支持体２８が上下動する。また、上部支持体２８の下方にはバネ等の弾性部材３０の上端が設置される。そして、弾性部材３０の下端は捕獲部支持体４２に設置される。また、捕獲部支持体４２はフレーム体２２に沿って上下動可能であり、よって捕獲部支持体４２は弾性部材３０によって吊り下げられた状態となっている。捕獲部支持体４２の下側には第１保持ピン孔４４ａが形成され、またフレーム体２２には第１保持ピン孔４４ａと一致する位置に第２保持ピン孔４４ｂが形成される。フレーム体２２の下端には土台部３２が設置され、この土台部３２に下側横フレーム１４が接続される。また、土台部３２には動物捕獲用罠８０が転倒することを防止する脚部３４を設けても良い。この脚部３４は土台部３２に着脱式としても良いし折畳式にしても良い。さらに、脚部３４には土中に打ち込むペグ３６を設置可能としても良い。尚、ペグ３６は別体としても脚部３４に固定されていても良いし、土台部３２を直接固定したり下側横フレーム１４を固定するようにしても良い。
【００１１】
また、図１に示す動物捕獲用罠８０の捕獲部４０は、捕獲対象動物Ａの脚が通り且つ胴体が通らない目開き寸法の格子状となっており、中央部分に後述の検知板６２を露出させる中央孔４７が形成されている。尚、捕獲部４０の目開き寸法が検知板６２の寸法よりも十分大きければ、中央に位置する捕獲部４０の孔を中央孔４７として代用しても良い。また、捕獲部４０の形状は図１のものに限定されるわけではなく、例えば図３（ａ）に示す網状のネットを用いたものや、図３（ｂ）に示す柵状のもの、また、図３（ｃ）、図３（ｄ）に示す平面形状を略十字状としたものの他、如何なるものを用いても良い。特に、図３（ｃ）、図３（ｄ）に示す捕獲部４０は、平面形状を略十字状とすることで捕獲部４０がフレーム部の外側も網羅する。このため、捕獲対象動物Ａが大型で後ろ足がフレーム部の外側にはみ出す場合でも、この捕獲対象動物Ａを捕獲することができる。よって、捕獲部４０としては、図３（ｃ）、図３（ｄ）のものを採用することが特に好ましい。尚、捕獲部４０は折畳可能として、輸送及び搬入搬出を容易とすることが好ましい。
【００１２】
この捕獲部４０は捕獲部支持体４２と接続され、捕獲部支持体４２が上下動するのに伴って捕獲部４０も上下動する。尚、捕獲部支持体４２と捕獲部４０とは直接固定しても良いが、リングや鎖などの接続部材４８を介して間接的に行うことが好ましい。この構成によれば、捕獲対象動物Ａの重量で捕獲部４０が斜めとなっても、捕獲部支持体４２は斜めとならずフレーム体２２に沿って円滑に上昇することができる。
【００１３】
捕獲部４０の下側には、この捕獲部４０を地表面に近い待機位置に保持する保持手段５０と、捕獲対象動物Ａが捕獲部４０上にいることを検知して保持手段５０を解除する検知手段６０と、が設置されている。尚、保持手段５０及び検知手段６０の具体例に関しては後に詳しく説明する。
【００１４】
次に、動物捕獲用罠８０の動作を図４を用いて説明する。先ず、回転手段２６を回して上部支持体２８を下降させる。上部支持体２８が下降すると弾性部材３０を介して捕獲部支持体４２及び捕獲部４０も下降する。そして、捕獲部支持体４２が待機位置に到達したところで保持手段５０と検知手段６０とを設置し、図４（ａ）に示すように、捕獲部支持体４２及び捕獲部４０を地表面に近い待機位置で保持する。
【００１５】
次に、回転手段２６を回して上部支持体２８を所定の位置まで上昇させる。このとき、捕獲部支持体４２は保持手段５０によって保持されているため上昇することはない。よって、図４（ｂ）に示すように、上部支持体２８と捕獲部支持体４２との間に設けられた弾性部材３０が伸びて捕獲部支持体４２を上昇させる方向に復元力が働く。次に、検知手段６０上に捕獲対象動物Ａを誘引する餌Ｍを載置する。これにより、動物捕獲用罠８０のセットが終了する。
【００１６】
ここで、捕獲対象動物Ａが餌Ｍに引き寄せられ捕獲部４０上に侵入する。このとき、動物捕獲用罠８０は側面が全て開放しており、また、どの方向からでも捕獲部４０上に侵入可能なことから、捕獲対象動物Ａは従来よりも警戒心を抱かずに捕獲部４０上に侵入する。そして、餌Ｍを食べるなどの際に検知手段６０を押下する。このとき、捕獲対象動物Ａは当然のことながら捕獲部４０上に存在している。
【００１７】
検知手段６０が押下されると、保持手段５０が外れ捕獲部支持体４２の待機位置での保持が解除される。これにより、捕獲部支持体４２は弾性部材３０の復元力により瞬時に上昇する。また、捕獲部支持体４２の上昇に伴って捕獲部４０も上昇する。捕獲部４０は捕獲対象動物Ａの脚が通り且つ胴体が通らない目開き寸法のものであるから、捕獲部４０が上昇すると捕獲対象動物Ａの脚は付け根部分まで捕獲部４０の目に落ち込むこととなる。これにより捕獲対象動物Ａは、図４（ｃ）に示すように、中吊状態もしくは脚がわずかに接地した半中吊状態となる。このように中吊状態もしくは半中吊状態となった捕獲対象動物Ａは自力で脱出することができず、これにより、捕獲対象動物Ａは捕獲される。以上が動物捕獲用罠８０の動作である。
【００１８】
尚、上部支持体２８の位置を高位置とすれば、イノシシ、鹿など脚の長短に関わらずに捕獲対象動物Ａを捕獲することができる。また、上部支持体２８の位置を適度な低位置とすれば、脚の長い鹿等を逃亡可能としながら脚の短いイノシシ等を選択的に捕獲することができる。
【００１９】
尚、縦フレーム部２０における捕獲部支持体４２の可動域には、縦フレーム部２０の上下方向に沿って、図５に示すようなストッパ部材７０を複数連続して設けることが好ましい。ここで、ストッパ部材７０の動作を説明する。ストッパ部材７０は、例えば上側が広い略台形形状もしくは三角形形状を呈しており、下端側がフレーム体２２に弾性的に固定されている。そして、ストッパ部材７０は、下方からの捕獲部支持体４２の移動に対しては、この固定部分を軸に縦フレーム部２０の内部方向に回動してストッパ部材７０’の状態となり、捕獲部支持体４２の上方への移動を許容する。そして、捕獲部支持体４２が上方に抜けると、固定部分の復元力によりストッパ部材７０’からストッパ部材７０の状態へ復帰する。ただし、捕獲部支持体４２が上方から下方へ移動しようとしてもストッパ部材７０は回動せず、ストッパ部材７０は捕獲部支持体４２の下方への移動を規制する。
【００２０】
ここで仮に、半中吊状態となった捕獲対象動物Ａが飛び上がるなどした場合、捕獲部４０への負荷が一瞬軽くなる。負荷が軽くなれば、その分だけ弾性部材３０が捕獲部支持体４２及び捕獲部４０を上昇させる。ストッパ部材７０は捕獲部支持体４２の上昇を許容し下降を規制するから、負荷が軽くなったときには捕獲部支持体４２及び捕獲部４０は上昇する。しかしながら、ストッパ部材７０の存在により、負荷が元に戻っても捕獲部支持体４２及び捕獲部４０は下降しない。従って、捕獲部４０の位置は上昇したままとなり捕獲対象動物Ａは完全な中吊状態となる。これにより、捕獲対象動物Ａの動物捕獲用罠８０からの脱出はより困難となる。
【００２１】
次に、図６の模式断面図を用いて保持手段５０と検知手段６０の一例を説明する。尚、本例で説明する保持手段５０と検知手段６０とは一例であり、この構成に限定されるものではない。
【００２２】
保持手段５０及び検知手段６０は、４本の保持棒５２、検知板６２、及び前述の第１保持ピン孔４４ａ、第２保持ピン孔４４ｂ、とで主に構成されている。ここで、図６（ａ）は捕獲部支持体４２が待機位置にセットされた状態の模式断面図である。保持棒５２は、外パイプ体５４と、この外パイプ体５４内に収められた軸体５６、及びバネ体５８とで主に構成される。軸体５６の長手方向の寸法は、外パイプ体５４の長手方向の寸法よりも所定の寸法だけ長く形成され、その分だけ外パイプ体５４の両端に形成された軸孔５４ａ、５４ｂから突出する。また、外パイプ体５４の内側と軸体５６の外側の所定の位置にはバネ止５８ａ、５８ｂが設けられ、このバネ止５８ａ、５８ｂ間にバネ体５８が配置される。そして、図６（ｂ）に示すように、保持棒５２の両端が開放されている場合には、バネ体５８の弾性力により軸体５６の一部が検知板６２側の軸孔５４ｂから突出する。
【００２３】
動物捕獲用罠８０を待機位置にセットする場合、図６（ａ）に示すように、捕獲部支持体４２の第１保持ピン孔４４ａとフレーム体２２の第２保持ピン孔４４ｂとが一直線上に並ぶように捕獲部支持体４２を位置させる。次に、軸孔５４ｂから突出した軸体５６の一部を押し込んで、捕獲部支持体４２側の軸孔５４ａから突出させる。この状態で、突出した軸体５６を第１保持ピン孔４４ａ及び第２保持ピン孔４４ｂに挿入するとともに、反対側の軸孔５４ｂから軸体５６が突出しないよう検知板６２を当接して保持する。このとき、バネ体５８は圧縮され、その復元力は軸体５６を検知板６２側の軸孔５４ｂから突出させるよう働く。同様にして、４つの保持棒５２を四隅の捕獲部支持体４２と検知板６２との間にセットする。これにより、保持棒５２は、図１（ｂ）に示すようにフレーム部の底面の対角線上に配置される。このとき、検知板６２は４方向から保持棒５２による復元力を受け、図７（ａ）に示すように、地表面から浮いた状態で保持される。また、第１保持ピン孔４４ａ及び第２保持ピン孔４４ｂには軸体５６が挿入されているため、たとえ上部支持体２８が上昇しても捕獲部支持体４２は上昇することはない。
【００２４】
そして、捕獲対象動物Ａが検知板６２を押下すると、図６（ｂ）に示すように、検知板６２が落下し、同時に全ての保持棒５２が外れる。このとき、保持棒５２の検知板６２側の規制はなくなるから、バネ体５８の復元力により捕獲部支持体４２側の軸体５６が引っ込み、検知板６２側の軸孔５４ｂから突出する。捕獲部支持体４２側の軸体５６が引っ込むことで、第１保持ピン孔４４ａ及び第２保持ピン孔４４ｂから軸体５６が抜け、捕獲部支持体４２の移動規制が解除される。これにより、捕獲部支持体４２及び捕獲部４０は弾性部材３０の復元力により上昇する。以上が、本例の保持手段５０及び検知手段６０の動作である。
【００２５】
尚、検知板６２の下方には凸部６２ａを設け、さらに、この凸部６２ａが滑らかに嵌るガイド６４を設けることが好ましい。この凸部６２ａ及びガイド６４を設けることで検知板６２が傾斜することなくほぼ垂直に落下する。これにより、保持棒５２の解除がほぼ同時に起こり、４つの捕獲部支持体４２がほぼ同時に上昇する。
【００２６】
以上のように、本発明に係る動物捕獲用罠８０は、地表面に近い位置に保持された捕獲部４０を上昇させることで、捕獲対象動物Ａの捕獲を行う。従って、側面、天井部、が開放されており、また、捕獲対象動物Ａはどの方向からでも捕獲部４０上に侵入することができる。このため、捕獲対象動物Ａはあまり警戒心を抱かずに捕獲部４０上に侵入する。これにより、従来の箱型罠に比較して捕獲対象動物Ａの捕獲率を向上させることができる。
【００２７】
尚、上記の動物捕獲用罠８０は一例であるから、各部の構成、保持手段５０及び検知手段６０の構成及び動作等は、本発明の要旨を逸脱しない範囲で変更して実施することが可能である。
【符号の説明】
【００２８】
１２    上側横フレーム
１４    下側横フレーム
２０    縦フレーム部
３０    弾性部材
４０    捕獲部
５０    保持手段
６０    検知手段
７０    ストッパ部材
８０    動物捕獲用罠
Ａ      捕獲対象動物
【図１】
2011250718.tif 000003
【図２】
2011250718.tif 000004
【図３】
2011250718.tif 000005
【図４】
2011250718.tif 000006
【図５】
2011250718.tif 000007
【図６】
2011250718.tif 000008